(57)【特許請求の範囲】
【請求項１】
弾性を有するワイヤである弾性ワイヤと、前記弾性ワイヤを通した管とを備え、
前記管は、径方向に振動可能に前記弾性ワイヤに支持され、
鳥の飼育空間の境界の少なくとも一部が前記弾性ワイヤ及び前記管によって形成されていることを特徴とする鳥かご。
【請求項２】
前記弾性ワイヤ及び前記管によって形成されている前記境界において、前記鳥かごが設置された状態での鉛直方向のみに前記弾性ワイヤ及び前記管が延在していることを特徴とする請求項１に記載の鳥かご。
【請求項３】
前記管の延在方向に対して傾斜して前記管の下端と接触する傾斜部を備え、
前記管の下端は、前記管の延在方向に対して傾斜していることを特徴とする請求項１または請求項２に記載の鳥かご。
【発明の詳細な説明】
【技術分野】
【０００１】
本発明は、鳥を飼育するための鳥かごに関するものである。
【背景技術】
【０００２】
従来の鳥かごは、針金や鉄格子を溶接することによって製造されている（例えば、特許文献１参照。）。
【特許文献１】特開平１１−２８５７５７号公報
【発明の開示】
【発明が解決しようとする課題】
【０００３】
従来の鳥かごにおいては、針金や鉄格子が衝撃で曲がると、鳥かご自体が変形したままになってしまうという問題がある。
【０００４】
そこで、本願の発明者は、従来より長期にわたって形状を維持することができる鳥かごを発明した（特願２００７−１１３５８９号）。特願２００７−１１３５８９号に記載の鳥かごは、弾性を有するワイヤである弾性ワイヤを備え、鳥の飼育空間の境界の少なくとも一部が前記弾性ワイヤによって形成されていることを特徴とするものである。
【０００５】
しかしながら、本願の発明者は、鳥の飼育空間の境界の少なくとも一部が弾性ワイヤのみによって形成されている鳥かごにおいては、弾性ワイヤに鳥が衝突したときに弾性ワイヤが振動し易いことを特願２００７−１１３５８９号の出願後に発見した。更に、本願の発明者は、弾性ワイヤが振動すると、騒音が発生し易いことや、隣り合う弾性ワイヤの間隔が一時的に広がるので、その間隔に鳥が挟まったり、その間隔から鳥が飼育空間の外へ逃げ出したりする可能性があることも発見した。
【０００６】
そこで、本発明は、弾性ワイヤの振動を従来より抑えることができる鳥かごを提供することを目的とする。
【課題を解決するための手段】
【０００７】
本発明の鳥かごは、弾性を有するワイヤである弾性ワイヤと、前記弾性ワイヤを通した管とを備え、前記管は、径方向に振動可能に前記弾性ワイヤに支持され、鳥の飼育空間の境界の少なくとも一部が前記弾性ワイヤ及び前記管によって形成されていることを特徴とする。
【０００８】
この構成により、本発明の鳥かごは、弾性ワイヤが振動したときに弾性ワイヤと管とが別々に振動して互いに衝突することでエネルギーを消費するので、弾性ワイヤの振動を従来より抑えることができる。
【０００９】
また、本発明の鳥かごは、前記弾性ワイヤ及び前記管によって形成されている前記境界において、前記鳥かごが設置された状態での鉛直方向のみに前記弾性ワイヤ及び前記管が延在していることが好ましい。
【００１０】
この構成により、本発明の鳥かごは、水平方向に弾性ワイヤ及び管が延在している場合と異なり、設置時に重力によって弾性ワイヤ及び管が弛むことを防止することができる。
【００１１】
また、本発明の鳥かごは、前記管の延在方向に対して傾斜して前記管の下端と接触する傾斜部を備え、前記管の下端は、前記管の延在方向に対して傾斜していることが好ましい。
【００１２】
この構成により、本発明の鳥かごは、管の下端が傾斜部に接触することによって管が弾性ワイヤの周りを回転することを抑えることができるので、隣り合う管の間隔に鳥が挟まったり、その間隔から鳥が飼育空間の外へ逃げ出したりする可能性を低減することができる。
【発明の効果】
【００１３】
本発明によれば、弾性ワイヤの振動を従来より抑えることができる鳥かごを提供することができる。
【発明を実施するための最良の形態】
【００１４】
以下、本発明の一実施の形態について、図面を用いて説明する。
【００１５】
まず、本実施の形態に係る鳥かごの構成について説明する。
【００１６】
図１は、本実施の形態に係る鳥かご１０の正面左側からの外観斜視図である。図２は、鳥かご１０の底面図である。図３は、鳥かご１０の側面断面図である。
【００１７】
図１〜図３に示すように、鳥かご１０は、Ｌ字状の脚部２１と、脚部２１によって支持されて鳥の飼育空間１０ａの境界である底面を形成する全体が傾斜した床部２２と、飼育空間１０ａの境界である前後左右の面を形成する壁部のうち鳥かご１０の背面側の壁部を形成する背面壁部２３と、飼育空間１０ａの境界である上面を形成する天井部２４と、鳥かご１０の左側面の一部に配置された扉３０と、鳥かご１０の境界である左側面側の壁部１１、正面側の壁部１２及び右側面側の壁部１３を形成する弾性を有するワイヤである弾性ワイヤ４０と、飼育空間１０ａで発生して床部２２の傾斜を伝わって落ちるゴミを受ける位置に配置されたゴミ受け部５１と、脚部２１、床部２２及び天井部２４の位置関係を保持するための円筒形の木製の支柱６０と、脚部２１の底面の四隅にのり付けされた滑り止め用の薄型の透明なゴムパッド７０とを有している。
【００１８】
なお、鳥かご１０は、主に、文鳥や十姉妹などの三角嘴のフィンチ類を飼育するためのものである。また、飼育空間１０ａで発生するゴミとしては、例えば、鳥の糞や羽根、籾殻などがある。
【００１９】
図４は、脚部２１、床部２２、背面壁部２３及び天井部２４の基になる金属の平板２０の平面図である。図４に示すように、脚部２１、床部２２、背面壁部２３及び天井部２４は、アルミニウムなどの金属の平板２０を折り曲げて形成されている。
【００２０】
図１〜図３に示すように、脚部２１は、ゴミ受け部５１を固定するネジ８１のネジ部を通すための２つのネジ用孔２１ａ（図４参照。）と、支柱６０を固定するネジ８２のネジ部を通すためのネジ用孔２１ｂとが形成されている。床部２２は、弾性ワイヤ４０を通すためのワイヤ用孔２２ａが左側面側、正面側及び右側面側の端の近傍に多数並んで形成されて弾性ワイヤ４０を固定する固定部材を構成しているとともに、支柱６０を通すための穴２２ｂが形成されている。床部２２の傾斜は、自然にゴミが落ちるように３０°〜４０°が好ましい。天井部２４は、弾性ワイヤ４０を通すためのワイヤ用孔２４ａが左側面側、正面側及び右側面側の端の近傍に多数並んで形成されて弾性ワイヤ４０を固定する固定部材を構成しているとともに、使用者によって鳥かご１０が持ち上げられるときに使用者の指が挿入されるための４つの持ち手穴２４ｂと、支柱６０を固定するネジ８２のネジ部を通すためのネジ用孔２４ｃとが形成されている。
【００２１】
扉３０は、枠３１と、枠３１の内部に上下に配置された複数の板３２と、複数の板３２を連結する紐３３とを有している。上面側及び底面側の枠３１には、弾性ワイヤ４０を通すためのワイヤ用孔３１ａが多数並んで形成されている。
【００２２】
図５は、床部２２及び弾性ワイヤ４０の結合部分と、天井部２４及び弾性ワイヤ４０の結合部分との部分的に拡大した断面図である。弾性ワイヤ４０は、直径が０．３ｍｍの銅線であり、例えばネックレス用の手芸ワイヤを使用している。弾性ワイヤ４０は、図５に示すように、ワイヤ用孔を通された後、折り返されて、隣のワイヤ用孔を通されている。そして、弾性ワイヤ４０は、図１に示すように、２本で扉３０とともに壁部１１、１２及び１３を形成している。即ち、２本のうち１本は、床部２２のワイヤ用孔２２ａのうち扉３０の底面側のワイヤ用孔３１ａに対向するワイヤ用孔以外のワイヤ用孔と、天井部２４のワイヤ用孔２４ａと、扉３０の上面側のワイヤ用孔３１ａとを通されて、床部２２、天井部２４及び扉３０の間で複数回折り返されて、壁部１１のうち扉３０より底面側の部分と、扉３０とを除いた部分と、壁部１２及び壁部１３とを形成している。２本のうち残り１本は、床部２２のワイヤ用孔２２ａのうち扉３０の底面側のワイヤ用孔３１ａに対向するワイヤ用孔と、扉３０の底面側のワイヤ用孔３１ａとを通されて、床部２２及び扉３０の間で複数回折り返されて、壁部１１のうち扉３０より底面側の部分を形成している。なお、弾性ワイヤ４０は、端部が金具４１によって固定されている。
【００２３】
図６は、弾性ワイヤ４０と、弾性ワイヤ４０を通した管４５との部分的に拡大した斜視図である。図５及び図６に示すように、弾性ワイヤ４０は、床部２２と天井部２４との間や、床部２２と扉３０（図１参照。）との間や、天井部２４と扉３０との間において、管４５に通されている。管４５は、内径が１．０ｍｍで外径が３．０ｍｍのスチロール樹脂製の透明なパイプであり、例えばプラモデル用のパイプ材を使用している。管４５は、内径が弾性ワイヤ４０の直径より大きいので、径方向に振動可能に弾性ワイヤ４０に支持されている。また、管４５は、延在方向の長さが床部２２及び天井部２４の間、床部２２及び扉３０の間、天井部２４及び扉３０の間のうち配置される空間の長さより短く、床部２２、天井部２４及び扉３０の何れにも固定されていないので、延在方向にも振動可能に弾性ワイヤ４０に支持されている。弾性ワイヤ４０及び管４５は、壁部１１、１２及び１３において鳥かご１０が設置された状態での鉛直方向のみに延在している。
【００２４】
図７は、ゴミ受け部５１の基になる金属の平板５０の平面図である。図７に示すように、ゴミ受け部５１は、アルミニウムなどの金属の平板５０を折り曲げて形成されている。
【００２５】
図１〜図３に示すように、ゴミ受け部５１は、のりしろ部分５１ａに形成されたネジ用孔５１ｂ（図７参照。）を通されたネジ８１によって脚部２１に固定されており、鳥かご１０の正面側に配置されて上面が露出している。また、ゴミ受け部５１は、のりしろ部分５１ａの板厚だけ、脚部２１との間にスリット５１ｃが設けられている。スリット５１ｃは、ゴミ受け部５１の下部に開けられた水抜き用の穴を構成している。
【００２６】
支柱６０は、床部２２の穴２２ｂに通されて、上下の端部でネジ８２によって脚部２１及び天井部２４に固定されている。
【００２７】
次に、鳥かご１０の製造方法について説明する。
【００２８】
まず、平板２０及び平板５０は、プレス機によって打ち抜かれ、外形や穴などが形成される。
【００２９】
次いで、外形や穴などが形成された平板２０は、板金工によって立体的に折り曲げられて、脚部２１、床部２２、背面壁部２３及び天井部２４として形成される。同様に、平板５０は、ゴミ受け部５１として形成される。
【００３０】
次いで、脚部２１、床部２２、背面壁部２３、天井部２４、ゴミ受け部５１及び支柱６０は、互いに組みつけられてネジ８１及びネジ８２によって固定される。また、脚部２１の底面の四隅には、ゴムパッド７０がのり付けされる。
【００３１】
最後に、床部２２、天井部２４及び扉３０の間が、弾性ワイヤ４０によって管４５を通しながら編みあげられる。
【００３２】
次に、鳥かご１０の使用方法について説明する。
【００３３】
使用者は、吸水紙をゴミ受け部５１に充填して、吸水紙によってスリット５１ｃを塞いでおく。
【００３４】
飼育空間１０ａ内の鳥が糞をすると、糞は、床部２２の傾斜を伝わって落ちて、ゴミ受け部５１に溜まる。糞以外のゴミについても同様に、床部２２の傾斜を伝わって落ちて、ゴミ受け部５１に溜まる。
【００３５】
使用者は、ゴミ受け部５１を掃除機で掃除したり、ゴミ受け部５１に充填した吸水紙を交換したりすることによって、ゴミ受け部５１に溜まった糞などのゴミを簡単に清掃することができる。
【００３６】
また、使用者は、ゴミ受け部５１に充填した吸水紙を取り除いた状態で、バスルームのシャワーなどによって床部２２に水を流すことによって、床部２２及びゴミ受け部５１を一度に丸ごと洗い流すことができる。床部２２の傾斜を流れた水は、ゴミ受け部５１に入り、ゴミ受け部５１の水抜き用のスリット５１ｃから排出される。
【００３７】
次に、鳥かご１０の作用について説明する。
【００３８】
飼育空間１０ａの内部の鳥が弾性ワイヤ４０及び管４５に衝突すると、弾性ワイヤ４０及び管４５が振動を開始する。
【００３９】
ここで、弾性ワイヤ４０及び管４５は、固有振動数が異なるので、別々に異なる周波数で振動する。そのため、弾性ワイヤ４０は、管４５の内壁４５ａに衝突し、管４５は、内壁４５ａで弾性ワイヤ４０に衝突する。
【００４０】
したがって、弾性ワイヤ４０及び管４５は、互いの衝突によってエネルギーを消費して振動が減衰する。
【００４１】
以上に説明したように、鳥かご１０は、弾性ワイヤ４０が振動したときに弾性ワイヤ４０と管４５とが別々に振動して互いに衝突することでエネルギーを消費するので、弾性ワイヤ４０の振動を従来より抑えることができる。
【００４２】
また、鳥かご１０は、弾性ワイヤ４０の振動を従来より抑えることができるので、弾性ワイヤ４０の振動に伴う騒音の発生も従来より抑えることができる。
【００４３】
また、鳥かご１０は、弾性ワイヤ４０の振動を従来より抑えることができるので、隣り合う弾性ワイヤ４０の間隔が広がることを防止することができる。したがって、鳥かご１０は、隣り合う弾性ワイヤ４０の間隔に鳥が挟まったり、隣り合う弾性ワイヤ４０の間隔から鳥が飼育空間１０ａの外へ逃げ出したりする可能性も従来より低減することができる。
【００４４】
また、鳥かご１０は、弾性ワイヤ４０及び管４５によって形成されている壁部１１、１２及び１３において、鳥かご１０が設置された状態での鉛直方向のみに弾性ワイヤ４０及び管４５が延在しているので、水平方向に弾性ワイヤ４０及び管４５が延在している場合と異なり、設置時に重力によって弾性ワイヤ４０及び管４５が弛むことを防止することができる。
【００４５】
なお、管４５の形状は、図５に示す形状に限るものではない。例えば、管４５は、図８に示す形状であっても良い。図８は、床部２２及び弾性ワイヤ４０の結合部分と、天井部２４及び弾性ワイヤ４０の結合部分との部分的に拡大した断面図であって、図５に示す例とは異なる例を表す図である。図８において、床部２２は、管４５の延在方向に対して傾斜して管４５の下端４５ｂと接触する傾斜部を構成している。管４５の下端４５ｂも、床部２２と同様に、管４５の延在方向に対して傾斜している。
【００４６】
図５に示す構成では管４５が弾性ワイヤ４０の周りを自由に回転することができるので、例えば隣り合う管４５の間隔に鳥の体の一部が入ったときに、隣り合う管４５の間隔に入った鳥の体の一部は、管４５の回転に案内されて、隣り合う管４５の間隔に更に深く入ってしまう可能性がある。しかしながら、図８に示す構成により、鳥かご１０は、管４５の下端４５ｂが床部２２に接触することによって管４５が弾性ワイヤ４０の周りを回転することを抑えることができるので、隣り合う管４５の間隔に鳥が挟まったり、隣り合う管４５の間隔から鳥が飼育空間の外へ逃げ出したりすることを抑えることができる。
【００４７】
なお、以上の実施の形態において、鳥かご１０は、床部２２が傾斜しているが、もちろん床部２２が水平であっても良い。
【００４８】
また、以上の実施の形態において、弾性ワイヤ４０は、上述したように、直径が０．３ｍｍの銅線であり、管４５は、上述したように、内径が１．０ｍｍで外径が３．０ｍｍのスチロール樹脂製の透明なパイプであるが、もちろん材質や寸法はこれらに限るものではない。弾性ワイヤ４０や管４５の材質や寸法は、例えば鳥かご１０で飼育される鳥の大きさなどに応じて自由に選択されることができる。
【図面の簡単な説明】
【００４９】
【図１】本発明の一実施の形態に係る鳥かごの正面左側からの外観斜視図である。
【図２】図１に示す鳥かごの底面図である。
【図３】図１に示す鳥かごの側面断面図である。
【図４】図１に示す鳥かごの脚部、床部、背面壁部及び天井部の基になる金属の平板の平面図である。
【図５】図１に示す鳥かごの床部及び弾性ワイヤの結合部分と、天井部及び弾性ワイヤの結合部分との部分的に拡大した断面図である。
【図６】図１に示す弾性ワイヤと、弾性ワイヤを通した管との部分的に拡大した斜視図である。
【図７】図１に示す鳥かごのゴミ受け部の基になる金属の平板の平面図である。
【図８】図１に示す鳥かごの床部及び弾性ワイヤの結合部分と、天井部及び弾性ワイヤの結合部分との部分的に拡大した断面図であって、図５に示す例とは異なる例を表す図である。
【符号の説明】
【００５０】
１０  鳥かご
１０ａ  飼育空間
１１、１２、１３  壁部（境界）
２２  床部（傾斜部）
４０  弾性ワイヤ
４５  管
４５ｂ  下端
【要約】
【課題】  弾性ワイヤの振動を従来より抑えることができる鳥かごを提供する。
【解決手段】  鳥かごは、鳥の飼育空間の底面を形成する全体が傾斜した床部２２と、鳥の飼育空間の上面を形成する天井部２４と、弾性を有するワイヤである弾性ワイヤ４０と、弾性ワイヤ４０を通した管４５とを備え、管４５は、径方向に振動可能に弾性ワイヤ４０に支持され、鳥の飼育空間の境界の少なくとも一部である左側面側、正面側及び右側面側の壁部が弾性ワイヤ４０及び管４５によって形成されていることを特徴とする。
【選択図】  図５【図１】
0004105755.tif 000002
【図２】
0004105755.tif 000003
【図３】
0004105755.tif 000004
【図４】
0004105755.tif 000005
【図５】
0004105755.tif 000006
【図６】
0004105755.tif 000007
【図７】
0004105755.tif 000008
【図８】
0004105755.tif 000009